(57)【要約】      （修正有）【課題】ガゼット袋の中に飲料カップ等を保持する立体形状のキャリアが収容された包装体を手早く簡単に形成することができ、保管時にも嵩張らない折り畳み包装体を提供する。【解決手段】折り畳み包装体P1は、幅方向の両側にガゼット部11,12を有する折り畳み状態のガゼット袋1と、ガゼット袋に収容された折り畳み状態のキャリア2とを備え、キャリアは、弱め線を有する一対の上部壁21,22と、各上部壁に連設された一対の側部壁23,24及び各側部壁に連設された一対の底部壁25,26を有し、各上部壁21,22の境界部の弱め線で折り曲げられ、各欠如部271,281にガゼット袋1の各ガゼット部11,12を通し、各ガゼット部を挟む両隙間に、各上部壁21,22と、各側部壁23,24及び各底部壁25,26の両側を差し入れている。【選択図】図１
2014189314.tif 000002
【特許請求の範囲】
【請求項１】
両側にガゼット部を有するガゼット袋と、
該ガゼット袋に収容されているキャリアと、
を備えており、
前記キャリアは、
所要形状のシートを長手方向の中間部の弱め線で折り曲げて形成され、該弱め線で分けられた両側がそれぞれ弱め線を介し長手方向へ三箇所に区画されており、
前記三箇所に区画された部分は、前記中間部の弱め線側から順に上部壁、側部壁及び底部壁となっており、
前記各上部壁は、
商品を保持する保持穴を有するか又は前記キャリアを組み立てることにより保持穴となる切欠部を有し、且つ前記保持穴又は前記切欠部から前記各上部壁の両端縁にかけて欠如部を有しており、
前記キャリアは、
前記各欠如部に前記ガゼット袋の前記各ガゼット部を差し入れ、前記各ガゼット部を挟む両隙間に、前記各上部壁と、前記各側部壁及び前記各底部壁の両側を差し入れて前記ガゼット袋に収容されており、
前記キャリアを前記ガゼット袋の内部で組み立てたとき、各底部壁と、拡がった前記ガゼット袋の底部となる部分で底が形成され、各底部壁の先部角部が、前記ガゼット部の三角形となった部分に挟まるようにしてある、
折り畳み包装体。
【請求項２】
底部にガゼット部を有し上部が開口したガゼット袋と、
該ガゼット袋に収容されているキャリアと、
を備えており、
前記キャリアは、
所要形状のシートを長手方向の中間部の弱め線で折り曲げて形成され、該弱め線で分けられた両側がそれぞれ弱め線を介し長手方向へ二箇所に区画されており、
前記二箇所に区画された部分は、前記中間部の弱め線側から順に上部壁及び側部壁となり、該側部壁は両側に弱め線を介し区画された間隔設定壁を有しており、
前記各上部壁は、
商品を保持する保持穴を有するか又は前記キャリアを組み立てることにより保持穴となる切欠部を有しており、
前記キャリアは、
前記ガゼット部を挟む両隙間に、前記各側部壁及び前記各間隔設定壁を差し入れて前記ガゼット袋に収容されており、
前記キャリアを前記ガゼット袋の内部で組み立てたとき、拡がった前記ガゼット袋の側部に形成された前記ガゼット部の三角形となった部分に各間隔設定壁の先部角部が挟まるようにしてある、
折り畳み包装体。
【請求項３】
底部にガゼット部を有し上部が開口したガゼット袋と、
該ガゼット袋に収容されているキャリアと、
を備えており、
前記キャリアは、
所要形状のシートで形成されており、
折り曲げができる弱め線で区画された一対の底部壁と、
該各底部壁に前記各底部壁間の弱め線とは反対側に弱め線で区画されて連設された一対の側部壁と、
該側部壁のうち一方の側部壁の前記各底部壁間の弱め線とは反対側に弱め線で区画されて連設された蓋部壁と、
前記各側部壁の両側に弱め線で区画されて連設された間隔設定壁と、
を有し、
前記キャリアは、
前記各底部壁を区画する弱め線を谷折りにし前記各底部壁と前記側部壁を区画する弱め線を山折りにして折り曲げられ、前記ガゼット袋の前記ガゼット部を挟む両隙間に、前記山折りにした各底部壁と前記各側部壁及び前記間隔設定壁を差し入れて前記ガゼット袋に収容されており、
前記キャリアを前記ガゼット袋の内部で組み立てたとき、各底部壁と、拡がった前記ガゼット袋の底部となる部分で底が形成され、拡がった前記ガゼット袋の側部に形成された前記ガゼット部の三角形となった部分に各間隔設定壁の先部角部が挟まるようにしてある、
折り畳み包装体。
【請求項４】
キャリアを組み立てて立体形状としたときの該キャリアの周りの長さが、拡張したガゼット袋の内周の長さと同等である、
請求項１、２又は３の折り畳み包装体。
【請求項５】
キャリアが、一枚のシートで形成されている、
請求項１、２、３又は４の折り畳み包装体。
【発明の詳細な説明】
【技術分野】
【０００１】
本発明は、折り畳み包装体に関するものである。更に詳しくは、プラスチック袋等のガゼット袋の中に飲料カップ等を保持する立体形状のキャリアが収容された形態の包装体を手早く簡単に形成することができ、保管時にも嵩張らない折り畳み包装体に関する。
【背景技術】
【０００２】
コンビニエンスストア等で提供されるカップ入りコーヒー、その他の飲料等の持ち帰りの際には、カップが傾いたり倒れたりして内容物がこぼれることがないように、プラスチック袋等の中に、紙等で形成した組立式のカップホルダーを入れ、そのカップホルダーの保持部分にカップを入れて保持していた。
【０００３】
このようなカップホルダーとしては、例えば特許文献１及び非特許文献１、２、３に開示されたものがある。
特許文献１に開示されているカップホルダー及び非特許文献１、２、３に開示されているカップホルダーは、何れも紙製で、所定の形状に型抜きしたシートを組み立てて立体形状にする構造である。
【先行技術文献】
【特許文献】
【０００４】
【特許文献１】特開２００５−３２００２１号公報
【非特許文献】
【０００５】
【非特許文献１】コーン＆カップホルダー  186415  1袋（50枚入）  水野産業  インターネット<URL:http://www.askul.co.jp/p/626968/>  2013/2/15現在
【０００６】
【非特許文献２】テイクアウト紙袋用中仕切 コーン＆カップホルダー４ケ用ミシン目付  １００枚  インターネット<URL:http://store.shopping.yahoo.co.jp/e-cafe/6515.html>  2013/2/15現在
【０００７】
【非特許文献３】テイクアウト用カップホルダー  4つ穴  クラフト地  インターネット<URL:http://store.shopping.yahoo.co.jp/classicalcoffee/2924.html>  2013/2/15現在
【発明の概要】
【発明が解決しようとする課題】
【０００８】
しかしながら、従来のカップホルダーには、次のような課題があった。
すなわち、カップホルダーは、通常は持ち運び用のプラスチック袋等と組み合わせた包装体として使用されている。
そして、コンビニエンスストア等で、お客の注文を受けてからカップホルダーを組み立てて立体形状にしてプラスチック袋等に入れるようにすると、これらの作業とレジ打ち等の別のレジ作業とを並行して行う必要があり、作業効率が著しく悪かった。このため、特に忙しい時間帯では、お客を長く待たせてしまうことがあった。
【０００９】
また、カップホルダーの外寸は、プラスチック袋等の寸法より僅かに小さい大きさとなっており、プラスチック袋等の中にスムーズに入れることが難しく、前記課題を助長していた。しかし、この課題の対策としてプラスチック袋等を大きめにすると、プラスチック袋等の中でカップホルダーの収まりが悪くなって安定せず、見た目が悪い上に、保持されたカップが傾いたり倒れたりして内容物がこぼれるおそれがあった。
【００１０】
更に、あらかじめカップホルダーを組み立てて立体形状にしておいたり、立体形状にしたカップホルダーをプラスチック袋等に収容して準備しておく方法もあるが、このようにして準備したものは立体化して嵩張るので、コンビニエンスストア等の狭い店舗内では収容スペースに余裕がないこともあり、前記課題の対策としては現実的ではなかった。
【００１１】
（本発明の目的）
本発明は、プラスチック袋等のガゼット袋の中に飲料カップ等を保持する立体形状のキャリアが収容された形態の包装体を手早く簡単に形成することができ、保管時にも嵩張らない折り畳み包装体を提供することを目的とする。
【課題を解決するための手段】
【００１２】
上記課題を解決するために本発明が講じた手段は次のとおりである。
（１）本発明は、
（側部ガゼット型：実施形態１）
両側にガゼット部を有するガゼット袋と、
該ガゼット袋に収容されているキャリアと、
を備えており、
前記キャリアは、
所要形状のシートを長手方向の中間部の弱め線で折り曲げて形成され、該弱め線で分けられた両側がそれぞれ弱め線を介し長手方向へ三箇所に区画されており、
前記三箇所に区画された部分は、前記中間部の弱め線側から順に上部壁、側部壁及び底部壁となっており、
前記各上部壁は、
商品を保持する保持穴を有するか又は前記キャリアを組み立てることにより保持穴となる切欠部を有し、且つ前記保持穴又は前記切欠部から前記各上部壁の両端縁にかけて欠如部を有しており、
前記キャリアは、
前記各欠如部に前記ガゼット袋の前記各ガゼット部を差し入れ、前記各ガゼット部を挟む両隙間に、前記各上部壁と、前記各側部壁及び前記各底部壁の両側を差し入れて前記ガゼット袋に収容されており、
前記キャリアを前記ガゼット袋の内部で組み立てたとき、各底部壁と、拡がった前記ガゼット袋の底部となる部分で底が形成され、各底部壁の先部角部が、前記ガゼット部の三角形となった部分に挟まるようにしてある、
折り畳み包装体である。
【００１３】
（２）本発明は、
（底部ガゼットＩ型：実施形態２）
底部にガゼット部を有し上部が開口したガゼット袋と、
該ガゼット袋に収容されているキャリアと、
を備えており、
前記キャリアは、
所要形状のシートを長手方向の中間部の弱め線で折り曲げて形成され、該弱め線で分けられた両側がそれぞれ弱め線を介し長手方向へ二箇所に区画されており、
前記二箇所に区画された部分は、前記中間部の弱め線側から順に上部壁及び側部壁となり、該側部壁は両側に弱め線を介し区画された間隔設定壁を有しており、
前記各上部壁は、
商品を保持する保持穴を有するか又は前記キャリアを組み立てることにより保持穴となる切欠部を有しており、
前記キャリアは、
前記ガゼット部を挟む両隙間に、前記各側部壁及び前記各間隔設定壁を差し入れて前記ガゼット袋に収容されており、
前記キャリアを前記ガゼット袋の内部で組み立てたとき、拡がった前記ガゼット袋の側部に形成された前記ガゼット部の三角形となった部分に各間隔設定壁の先部角部が挟まるようにしてある、
折り畳み包装体である。
【００１４】
（３）本発明は、
（底部ガゼットII型：実施形態３）
底部にガゼット部を有し上部が開口したガゼット袋と、
該ガゼット袋に収容されているキャリアと、
を備えており、
前記キャリアは、
所要形状のシートで形成されており、
折り曲げができる弱め線で区画された一対の底部壁と、
該各底部壁に前記各底部壁間の弱め線とは反対側に弱め線で区画されて連設された一対の側部壁と、
該側部壁のうち一方の側部壁の前記各底部壁間の弱め線とは反対側に弱め線で区画されて連設された蓋部壁と、
前記各側部壁の両側に弱め線で区画されて連設された間隔設定壁と、
を有し、
前記キャリアは、
前記各底部壁を区画する弱め線を谷折りにし前記各底部壁と前記側部壁を区画する弱め線を山折りにして折り曲げられ、前記ガゼット袋の前記ガゼット部を挟む両隙間に、前記山折りにした各底部壁と前記各側部壁及び前記間隔設定壁を差し入れて前記ガゼット袋に収容されており、
前記キャリアを前記ガゼット袋の内部で組み立てたとき、各底部壁と、拡がった前記ガゼット袋の底部となる部分で底が形成され、拡がった前記ガゼット袋の側部に形成された前記ガゼット部の三角形となった部分に各間隔設定壁の先部角部が挟まるようにしてある、
折り畳み包装体である。
【００１５】
（４）本発明は、
キャリアを組み立てて立体形状としたときの該キャリアの周りの長さが、拡張したガゼット袋の内周の長さと同等である、のが好ましく、推奨される。
【００１６】
（５）本発明は、
キャリアが、一枚のシートで形成されている、のが好ましく、推奨される。
【００１７】
本明細書及び特許請求の範囲にいう「弱め線」とは、例えば厚さを薄く形成している部分、押圧して厚さを薄くしている部分、或いはいわゆるミシン目等、人の手により折り曲げをしやすくした線をいう。
【００１８】
また、本明細書及び特許請求の範囲にいう「シート」の用語は、段ボール等の紙材料、合成樹脂等で形成した二次元形状（平板又は平坦形状）のシートの他、ブランク（プレスで抜き加工した二次元形状の加工品素材、未完成紙片、又は半加工紙片等）及びウエブを含む概念で使用している。
【００１９】
本明細書及び特許請求の範囲にいう「組み立てる」の用語は、複数の構成体を組み合わせて作り上げる意味の他、一つの構成体から作り上げる意味を含むものである。
【００２０】
（作用）
本発明に係る折り畳み包装体の作用を説明する。
（１）の発明の折り畳み包装体は、折り畳み状態のキャリアが折り畳み状態のガゼット袋に収容されているので、個々は平坦で嵩張らず、多数を積み重ねる等して効率良く保管しておくことができる。
【００２１】
折り畳み包装体を使用する際は、まず、ガゼット袋内部のキャリアの各上部壁間の弱め線部分を底方向へ押すと、各上部壁が各側部壁との間の弱め線で折れ曲がり、各上部壁は全体が平板状になる。これにより、キャリアの幅が拡がり、ガゼット袋は互いの間隔が拡がる各側部壁に押されて拡張する。
【００２２】
また、これに伴い、キャリアの、ガゼット部に差し込まれている各底部壁が弱め線で折れ曲がり、ガゼット袋の底で先端縁をほぼ突き合わせた状態になって、キャリアが立体形状となる。そして、キャリアの各底部壁と、拡がったガゼット袋の底部となる部分で底が形成され、各底部壁の先部角部が、ガゼット部が折れ曲がって形成された三角形になった部分に挟まる。これにより、キャリアがガゼット袋の内部でずれにくい。
【００２３】
このように、飲料カップ等を保持する組み立てられた形状のキャリアがガゼット袋の内部に収容された形態の包装体を手早く簡単に形成することができ、商品をガゼット袋で提げた状態で持ち運ぶことができるようになる。
【００２４】
（２）の発明の折り畳み包装体は、折り畳み状態のキャリアが折り畳み状態のガゼット袋に収容されているので、（１）の発明と同様に個々は平坦で嵩張らず、多数を積み重ねる等して効率良く保管しておくことができる。
【００２５】
折り畳み包装体を使用する際は、まず、ガゼット袋内部のキャリアの各上部壁間の弱め線部分を底方向へ押すと、各上部壁が各側部壁との間の弱め線で折れ曲がり、各上部壁は全体が平板状になる。これにより、キャリアの幅が拡がり、ガゼット袋は互いの間隔が拡がる各側部壁に押されて拡張する。
【００２６】
また、これに伴い、キャリアの、各間隔設定壁がガゼット袋の内面に押されて、各側部壁との間の弱め線で内側へ折れ曲がる。これにより、相対向する各間隔設定壁は、ガゼット袋の底部側で先端縁を互いにほぼ突き合わせた状態になり、キャリアが立体形状となる。
そして、拡がったガゼット袋の側部にガゼット部が折れ曲がって形成された三角形になった部分に、キャリアの各間隔設定壁の先部角部が挟まる。これにより、キャリアがガゼット袋の内部でずれにくい。
【００２７】
このように、飲料カップ等を保持する組み立てられた形状のキャリアがガゼット袋の内部に収容された形態の包装体を手早く簡単に形成することができ、飲料カップ等の商品をガゼット袋で提げた状態で持ち運ぶことができるようになる。
【００２８】
（３）の発明の折り畳み包装体は、折り畳み状態のキャリアが折り畳み状態のガゼット袋に収容されているので、（１）、（２）の発明と同様に個々は平坦で嵩張らず、多数を積み重ねる等して効率良く保管しておくことができる。
【００２９】
折り畳み包装体を使用する際は、まず、ガゼット袋内部のキャリアの各側部壁の間隔を拡げて、各底部壁を全体に平板状にする。これにより、ガゼット袋は、各側部壁に押されて拡張する。
【００３０】
また、これに伴い、キャリアの各間隔設定壁がガゼット袋の内面に押されて、各側部壁との間の弱め線で内側へ折れ曲がる。これにより、相対向する各間隔設定壁は、ガゼット袋の底部側で先端縁を互いにほぼ突き合わせた状態になり、キャリアが蓋部を有する立体形状となる。そして、キャリアの各底部壁と、拡がったガゼット袋の底部となる部分で底が形成され、拡がったガゼット袋の側部にガゼット部が折れ曲がって形成された三角形になった部分に各間隔設定壁の先部角部が挟まる。これにより、キャリアがガゼット袋の内部でずれにくい。
【００３１】
このように、ケーキ等の菓子を収容する組み立てられた形状のキャリアがガゼット袋の内部に収容された形態の包装体を手早く簡単に形成することができ、ケーキ等の商品をガゼット袋で提げた状態で持ち運ぶことができるようになる。
【００３２】
（４）の発明の折り畳み包装体は、キャリアを組み立てて立体形状としたときの該キャリアの周りの長さが、拡張したガゼット袋の内周の長さと同等であるので、立体となったキャリアがガゼット袋の内部に、ほぼ隙間なく丁度収まる。これにより、キャリアがガゼット袋内で安定するため、キャリアにより保持又は収容される商品も安定する。
【００３３】
また、ガゼット袋内部でキャリアを組み立てる際に、ガゼット袋がキャリアに対しタイトであるために、各弱め線での各壁の折れ曲がりが、より確実に行われるので、キャリアを組み立てる作業がしやすい。
【００３４】
（５）の発明の折り畳み包装体は、キャリアが、一枚のシートで形成されているので、キャリアを製造する際に、型抜きにより、容易に作成することができる。
【発明の効果】
【００３５】
本発明は、飲料カップ等を保持する立体形状のキャリアがプラスチック袋等のガゼット袋の中に収容された形態の包装体を手早く簡単に形成することができ、保管時にも嵩張らない折り畳み包装体を提供することができる。
【図面の簡単な説明】
【００３６】
【図１】本発明に係る折り畳み包装体の第１実施の形態を示す斜視図。
【図２】図１におけるＡ−Ａ端面図。
【図３】図１に示す折り畳み包装体を構成するキャリアを折り畳んだ状態の斜視説明図。
【図４】図１に示す折り畳み包装体を立体形状とした状態の斜視図。
【図５】図４におけるＢ−Ｂ断面図。
【図６】本発明に係る折り畳み包装体の第２実施の形態を示す斜視図。
【図７】図６におけるＣ−Ｃ端面図。
【図８】図６におけるＤ−Ｄ端面図。
【図９】図６に示す折り畳み包装体を構成するキャリアを折り畳んだ状態の斜視説明図。
【図１０】図６に示す折り畳み包装体を立体形状とした状態の斜視図。
【図１１】本発明に係る折り畳み包装体の第３実施の形態を示す斜視図。
【図１２】図１１におけるＥ−Ｅ端面図。
【図１３】図１１に示す折り畳み包装体を構成するキャリアを展開した状態の斜視図。
【図１４】図１１に示す折り畳み包装体を立体形状とした状態の斜視図。
【図１５】本発明に係る折り畳み包装体の第４実施の形態を示す斜視図。
【図１６】図１５に示す折り畳み包装体を立体形状とした状態の斜視図。
【発明を実施するための形態】
【００３７】
〔実施の形態〕
【００３８】
本発明を図面に示した実施の形態に基づき詳細に説明する。
図１ないし図５を参照する。
折り畳み包装体Ｐ１は、プラスチックフィルム製のガゼット袋１と、ガゼット袋１の内部に収容されているキャリア２を備えている。
【００３９】
ガゼット袋１は、いわゆるレジ袋様の側部ガゼット型のガゼット袋であり、折り畳んだ状態である（図１参照）。ガゼット袋１は、幅方向の両側に長手方向（使用時では上下方向）と平行なガゼット部１１、１２を有している。ガゼット袋１は、底部側の端部に熱溶着された封止部１３を有し、上部側の両側に、それぞれ上端部に熱溶着された封止部１４、１４ａを有し中央部分が打ち抜きで除去された残部により形成された把手部１５、１６を有している。
【００４０】
キャリア２は、一枚の薄手の段ボールを型抜きして形成されており、折り畳んだ状態である。キャリア２は、強度が必要十分であれば、段ボール以外の紙材料や合成樹脂等の各種シート、各種ブランク又は各種ウエブでつくることもできる（後記する折り畳み包装体Ｐ２、Ｐ３、Ｐ４の各キャリア２、４、又は６についても同様）。キャリア２は、折り畳んだ状態から組み立てると、カップを保持する箱状のカップホルダーになる構造を有している。
【００４１】
キャリア２は、図３に示すように、中央から順に、一対の上部壁２１、２２、一対の長方形状の側部壁２３、２４及び一対の長方形状の底部壁２５、２６を有している。
【００４２】
キャリア２は、上部壁２１、２２の境界部に弱め線２０１を有している。また、上部壁２１と側部壁２３の境界部に弱め線２０２を有し、上部壁２２と側部壁２４の境界部に弱め線２０３を有している。更に、側部壁２３と底部壁２５の境界部に弱め線２０４を有し、側部壁２４と底部壁２６の境界部に弱め線２０５を有している。
【００４３】
また、上部壁２１から上部壁２２にかけては、カップの保持部となるほぼ円形のカップ保持穴２７、２８を有している。カップ保持穴２７、２８は、図１に示すように上部壁２１、２２の両端縁に係っており、係った部分が欠如部２７１、２８１となっている。カップ保持穴２７、２８を形成する切欠部である円弧縁２７０、２８０は、上部壁２１、２２において、それぞれほぼ半円形である。なお、前記弱め線２０１は、カップ保持穴２７、２８の円弧縁２７０、２８０間に位置している。
【００４４】
キャリア２は、図３に示すように、上部壁２１、２２の境界部の弱め線２０１で折り曲げて折り畳み状態となっている。キャリア２は、図１に示すように、欠如部２７１、２８１にガゼット袋１の両側部のガゼット部１１、１２をそれぞれ通し、ガゼット部１１、１２を挟む二箇所の隙間１１１、１１２及び隙間１２１、１２２に、各上部壁２１、２２、各側部壁２３、２４及び各底部壁２５、２６の両側を奥側端部まで差し入れてガゼット袋１に収容されている。
【００４５】
なお、図４に示すように、キャリア２を組み立てた状態の両側部壁２３、２４の長さと両底部壁２５、２６の両側の幅を合わせた長さ（周りの長さ）は、膨らむよう拡張したガゼット袋１の内周の長さと同等に設定されている。これにより、立体形状となったキャリア２は、拡張したガゼット袋１の内部にほぼ隙間なく丁度収まる。
【００４６】
（作用）
図１ないし図５を参照して、折り畳み包装体Ｐ１の作用を説明する。
折り畳み包装体Ｐ１は、図１に示すように、折り畳み状態のキャリア２が折り畳み状態のガゼット袋１に収容されているので、個々は平坦で嵩張らず、多数を積み重ねる等して効率良く保管しておくことができる。これにより、コンビニエンスストア等の狭い店舗内で収容スペースに余裕がない場合でも、無理なく準備しておくことができる。
【００４７】
折り畳み包装体Ｐ１を使用する際は、まず、ガゼット袋１内部のキャリア２の各上部壁２１、２２間の弱め線２０１部分を底方向へ押すと、各上部壁２１、２２が各側部壁２３、２４との間の弱め線２０２、２０３で折れ曲がり、各上部壁２１、２２は図４に示すように全体が平板状になる。これにより、キャリア２の幅が拡がり、ガゼット袋１は互いの間隔が拡がる各側部壁２３、２４に押されて拡張する。
【００４８】
また、これに伴い、キャリア２の、ガゼット袋１のガゼット部１１、１２に差し込まれている各底部壁２５、２６が弱め線２０４、２０５で折れ曲がり、ガゼット袋１の底で先端縁をほぼ突き合わせた状態になって、図４に示すようにキャリア２が立体形状となる。
【００４９】
なお、前記のように拡張したガゼット袋１の底部となる部分とキャリア２の各底部壁２５、２６で底が形成され、各底部壁２５、２６の先部角部が、ガゼット部１１、１２が折れ曲がって形成された三角折れ部１１０、１２０に挟まる。詳しくは、前記各底部壁２５、２６を隙間１１１、１１２、１２１、１２２に差し入れた状態が維持されて、三角折れ部１１０、１２０とその外側のフィルムに挟まった状態になる。これにより、キャリア２がガゼット袋１の内部でずれにくい。
【００５０】
このように、立体的な形状で飲料カップ等の商品を保持するカップ保持穴２７、２８を有するキャリア２がガゼット袋１内部に収容された形態の包装体を手早く簡単に形成することができ、商品をガゼット袋１に収容した状態で持ち運ぶことができるようになる。
【００５１】
折り畳み包装体Ｐ１は、キャリア２を図４に示すように組み立てたときのキャリア２の周りの長さが、拡張した（又は膨らませた）ガゼット袋１の内周の長さと同等であるので、立体となったキャリア２がガゼット袋１の内部に、ほぼ隙間なく丁度収まる。これにより、キャリア２がガゼット袋１内部で安定するため、キャリア２により保持される飲料カップ等の商品も安定する。
【００５２】
また、ガゼット袋１内部でキャリア２を立体に形成する際に、ガゼット袋１がキャリア２に対しタイト、すなわちぴったりとしたサイズであるために、各弱め線２０１、２０２、２０３、２０４、２０５での各壁２１、２２、２３、２４、２５、２６の折れ曲がりが、より確実に行われるので、キャリア２を立体に形成する作業がしやすい。
【００５３】
図６ないし図１０を参照する。
折り畳み包装体Ｐ２は、プラスチックフィルム製のガゼット袋３と、ガゼット袋３の内部に収容されているキャリア４を備えている。
【００５４】
ガゼット袋３は、底部ガゼット型のガゼット袋であり、折り畳んだ状態である（図６、図９参照）。ガゼット袋３は、幅方向（使用時では上下方向）の一方側（上部側）にガゼット部を中間の折り曲げ部で切断し外側のフィルムと溶着した補強部３１、３２を有し、他方側（底部側）にガゼット部３３を有している。
【００５５】
ガゼット袋３は、底部側と上部側の端部に熱溶着された封止部３４、３５を有している。また、ガゼット袋３は、補強部３１、３２のそれぞれに逆Ｕ字形状の取っ手３６、３７を有している。
【００５６】
キャリア４は、一枚の薄手の段ボールを型抜きして形成されており、折り畳んだ状態である。キャリア４は、折り畳んだ状態から組み立てると、カップを保持する箱状のカップホルダーになる構造を有している。
キャリア４は、図８に示すように、中央から順に、一対の上部壁４１、４２、一対の長方形状の側部壁４３、４４を有している。また、各側部壁４３、４４のそれぞれの両端には、長方形状の間隔設定壁４５、４５ａ及び間隔設定壁４６、４６ａが連設されている。なお、上部壁４１、４２は、二枚合わせて長方形状となる。
【００５７】
キャリア４は、上部壁４１、４２の境界部に弱め線４０１を有している。また、上部壁４１と側部壁４３の境界部に弱め線４０２を有し、上部壁４２と側部壁４４の境界部に弱め線４０３を有している。更に、側部壁４３と間隔設定壁４５、４５ａの境界部に弱め線４０４、４０５を有し、側部壁４４と間隔設定壁４６、４６ａの境界部に弱め線４０６、４０７を有している。
【００５８】
また、上部壁４１から上部壁４２にかけては、カップの保持部となるほぼ円形のカップ保持穴４７、４８を有している。カップ保持穴４７、４８は、前記カップ保持穴２７、２８と異なり上部壁４１、４２の両端縁に係っていない。カップ保持穴４７、４８を形成する切欠部である円弧縁４７０、４８０は、上部壁４１、４２において、それぞれ半円形である。なお、前記弱め線２０１は、カップ保持穴４７、４８の円弧縁４７０、４８０の間及び両側に位置している。
【００５９】
キャリア４は、図９に示すように、上部壁４１、４２の境界部の弱め線４０１で折り曲げて折り畳み状態となっている。キャリア４は、図７、図８に示すように、ガゼット袋３の底部側のガゼット部３３を挟む二箇所の隙間３３１、３３２に、それぞれ側部壁４３、両間隔設定壁４５、４５ａと側部壁４４、両間隔設定壁４６、４６ａを奥側端部まで差し入れて収容されている。
【００６０】
なお、図１０に示すように、キャリア４を組み立てた状態の側部壁４３、両間隔設定壁４５、４５ａと側部壁４４、両間隔設定壁４６、４６ａを合わせた長さ（周りの長さ）は、膨らむよう拡張したガゼット袋３の内周の長さと同等に設定されている。これにより、立体形状のキャリア４は、拡張したガゼット袋３の内部にほぼ隙間なく丁度収まる。
【００６１】
（作用）
図６ないし図１０を参照し、折り畳み包装体Ｐ２の作用を説明する。
折り畳み包装体Ｐ２は、折り畳み状態のキャリア４が折り畳み状態のガゼット袋３に収容されているので、折り畳み包装体Ｐ１と同様に個々は平坦で嵩張らず、多数を積み重ねる等して効率良く保管しておくことができる。
【００６２】
折り畳み包装体Ｐ２を使用する際は、まず、ガゼット袋３内部のキャリア４の各上部壁４１、４２間の弱め線４０１部分を底方向へ押すと、各上部壁４１、４２が各側部壁４３、４４との間の弱め線４０２、４０３で折れ曲がり、各上部壁４１、４２は全体が平板状になる（図１０参照）。これにより、キャリア４の幅が拡がり、ガゼット袋３は互いの間隔が拡がる各側部壁４３、４４に押されて拡張する。
【００６３】
また、これに伴い、キャリア４の、各間隔設定壁４５、４５ａ、４６、４６ａがガゼット袋３の内面に押されて、各側部壁４３、４４との間の弱め線４０４、４０５、４０６、４０７で内側へ折れ曲がる。これにより、相対向する各間隔設定壁４５、４５ａと、４６、４６ａは、ガゼット袋３の底部側で先端縁を互いにほぼ突き合わせた状態になり、キャリア４が立体形状となる。
【００６４】
なお、前記のように拡張したガゼット袋３の側部にガゼット部３３が折れ曲がって形成された三角折れ部３３０に、キャリア４の各間隔設定壁４５、４５ａ及び各間隔設定壁４６、４６ａの先部角部が挟まる。詳しくは、前記各間隔設定壁４５、４５ａ、４６、４６ａを隙間３３１、３３２に差し入れた状態が維持されて、各三角折れ部３３０（図１０では向こう側の各三角折れ部３３０は見えない）とその外側のフィルムに挟まった状態になる。これにより、キャリア４がガゼット袋３の内部でずれにくい。
【００６５】
このように、立体的な形状で飲料カップ等を保持するカップ保持穴４７、４８を有するキャリア４がガゼット袋３の内部に収容された形態の包装体を手早く簡単に形成することができ、飲料カップ等の商品をガゼット袋３に収容した状態で持ち運ぶことができるようになる。
【００６６】
折り畳み包装体Ｐ２は、折り畳み包装体Ｐ１と同様に、キャリア４を図１０に示すように組み立てたときのキャリア２の周りの長さが、拡張した（又は膨らませた）ガゼット袋３の内周の長さと同等であるので、立体となったキャリア４がガゼット袋３の内部に、ほぼ隙間なく丁度収まる。これにより、キャリア４がガゼット袋３内部で安定するため、キャリア４により保持される飲料カップ等の商品も安定する。
【００６７】
また、ガゼット袋３内部でキャリア４を立体に形成する際に、ガゼット袋３がキャリア４に対しタイト、すなわちぴったりとしたサイズであるために、各弱め線４０１、４０２、４０３、４０４、４０５での各壁４１、４２、４３、４４、４５、４５ａ、４６、４６ａの折れ曲がりが、より確実に行われるので、キャリア４を立体に形成する作業がしやすい。
【００６８】
図１１ないし図１４を参照する。
折り畳み包装体Ｐ３は、プラスチックフィルム製のガゼット袋５と、ガゼット袋５の内部に収容されているキャリア６を備えている。
【００６９】
ガゼット袋５は、底部ガゼット型のガゼット袋であり、折り畳んだ状態である。ガゼット袋５は、幅方向（使用時では上下方向）の一方側（上部側）にガゼット部を中間の折り曲げ部で切断し外側のフィルムと溶着した補強部５１、５２を有し、他方側（底部側）にガゼット部５３を有している。ガゼット袋５は、ガゼット部５３を挟む二箇所に隙間５３１、５３２を有している。
【００７０】
ガゼット袋５は、底部側と上部側の端部に熱溶着された封止部５４、５５を有している。また、ガゼット袋５は、補強部５１、５２のそれぞれの中央部に、横長の長円形状の取っ手穴５６、５７を有している。
【００７１】
キャリア６は、一枚の薄手の段ボールを型抜きして形成されており、折り畳んだ状態（図１１、図１２参照）である。キャリア６は、折り畳んだ状態から組み立てると、ケーキ等の菓子を入れる箱状の菓子箱になる構造を有している。
【００７２】
キャリア６は、図１３に示すように、長方形状の底部壁６１、６２を有している。底部壁６１、６２は、境界部に弱め線６０１を有している。一方の底部壁６１の図１３において左側には、順にそれぞれ長方形状の側部壁６３、蓋部壁６４が連設され、蓋部壁６４は先端中央部に台形状の差込片６４１を有している。また、側部壁６３の両側には、長方形状の間隔設定壁６５、６５ａが連設されている。
【００７３】
他方の底部壁６２の図１３において右側には、長方形状の側部壁６６が連設され、側部壁６６は先端部の全幅にわたりフラップ６６１を有している。フラップ６６１は、後記する弱め線６００と重なる位置の中央部に、差込片６４１を差し込んで掛止するスリット状の差込穴６６２を有している。また、側部壁６６の両側には、間隔設定壁６７、６７ａが連設されている。
【００７４】
キャリア６は、底部壁６１と側部壁６３の境界部に弱め線６０２を有し、側部壁６３と蓋部壁６４の境界部に弱め線６０３を有し、側部壁６３と両間隔設定壁６５、６５ａの境界部に弱め線６０４、６０５を有している。また、底部壁６２と側部壁６６の境界部に弱め線６０６を有し、側部壁６６と両間隔設定壁６７、６７ａの境界部には、弱め線６０７、６０８を有している。更に、差込片６４１の基部には弱め線６０９を有し、側部壁６６とフラップ６６１の境界部には弱め線６００を有している。
【００７５】
なお、図１４に示すように、キャリア６を組み立てた状態の側部壁６３、両間隔設定壁６５、６５ａと側部壁６６、両間隔設定壁６７、６７ａを合わせた長さ（周りの長さ）は、膨らむよう拡張したガゼット袋５の内周の長さと同等に設定されている。これにより、立体形状のキャリア６は、拡張したガゼット袋５の内部にほぼ隙間なく丁度収まる。
【００７６】
（作用）
図１１ないし図１４を参照し、折り畳み包装体Ｐ３の作用を説明する。
折り畳み包装体Ｐ３は、折り畳み状態のキャリア６が折り畳み状態のガゼット袋５に収容されているので、折り畳み包装体Ｐ１、Ｐ２と同様に個々は平坦で嵩張らず、多数を積み重ねる等して効率良く保管しておくことができる。
【００７７】
折り畳み包装体Ｐ３を使用する際は、まず、ガゼット袋５内部のキャリア６の各側部壁６３、６６の間隔を拡げて、各底部壁６１、６２を全体に平板状にする。これにより、ガゼット袋５は、各側部壁６３、６６に押されて拡張する。
【００７８】
また、これに伴い、キャリア６の、各間隔設定壁６５、６５ａ、６７、６７ａがガゼット袋５の内面に押されて、各側部壁６３、６６との間の弱め線６０４、６０５、６０７、６０８で内側へ折れ曲がる。これにより、相対向する各間隔設定壁６５、６５ａ、６７、６７ａは、図１４に示すようにガゼット袋５の底部側で先端縁を互いにほぼ突き合わせた状態になり、キャリア６が立体形状となる。
【００７９】
なお、キャリア６の各底部壁６１、６２と、拡がったガゼット袋５の底部となる部分で底が形成され、拡がったガゼット袋５の側部（各間隔設定壁６５、６５ａ、６７、６７ａ側）にガゼット部５３が折れ曲がって形成された三角折れ部５３０（図１４では向こう側の各三角折れ部５３０は見えない）に各間隔設定壁６５、６５ａ、６７、６７ａの先部角部が挟まる。これにより、キャリア６がガゼット袋５の内部でずれにくい。
【００８０】
このように、立体的な形状で例えばケーキ等の菓子を収容するキャリア６がガゼット袋５内部に収容された形態の包装体を手早く簡単に形成することができる。そして、菓子等の商品をキャリア６に入れて蓋部壁６４を閉じ、ガゼット袋５に収容した状態で持ち運ぶことができるようになる。
【００８１】
折り畳み包装体Ｐ３は、折り畳み包装体Ｐ１、Ｐ２と同様に、キャリア６を図１４に示すように組み立てたときのキャリア６の周りの長さが、拡張した（又は膨らませた）ガゼット袋５の内周の長さと同等であるので、立体となったキャリア６がガゼット袋５の内部に、ほぼ隙間なく丁度収まる。これにより、キャリア６がガゼット袋５内部で安定するため、キャリア６に収容されるケーキ等の商品も安定する。
【００８２】
また、ガゼット袋５内部でキャリア６を立体に形成する際に、ガゼット袋５がキャリア６に対しタイト、すなわちぴったりとしたサイズであるために、各弱め線６０１、６０２、６０６、６０４、６０５、６０７、６０８での各壁６１、６２、６３、６６、６５、６５ａ、６７、６７ａの折れ曲がりが、より確実に行われるので、キャリア６を立体に形成する作業がしやすい。
【００８３】
図１５及び図１６を参照する。
折り畳み包装体Ｐ４は、キャリア４ａの構造がキャリア４と一部異なる点を除き、折り畳み包装体Ｐ２とほぼ同様の構成を有している。
なお、図１５及び図１６において、折り畳み包装体Ｐ２と同等箇所には同一の符号を付して示し、構造について重複する説明は省略する。
【００８４】
折り畳み包装体Ｐ４のキャリア４ａは、キャリア４のカップ保持穴４７とカップ保持穴４８の間の上部壁４１、４２に保持穴４９、４９ａを有している。保持穴４９、４９ａは、穴の縁に沿って縁に切り込みを入れて形成された複数の保持片（符号省略）を有している。保持穴４９、４９ａは、例えばシュガースティックやポーションミルク等を保持するためのものである。
【００８５】
なお、折り畳み包装体Ｐ４の作用については、保持穴４９、４９ａでシュガースティックやポーションミルク等を保持することができる点を除き、前記した折り畳み包装体Ｐ２と同様であるので説明を省略する。
【００８６】
本明細書で使用している用語と表現は、あくまでも説明上のものであって、なんら限定的なものではなく、本明細書に記述された特徴およびその一部と等価の用語や表現を除外する意図はない。また、本発明の技術思想の範囲内で、種々の変形が可能であるということは言うまでもない。
【符号の説明】
【００８７】
Ｐ１  折り畳み包装体
１  ガゼット袋
１１、１２  ガゼット部
１１０、１２０  三角折れ部
１１１、１１２  隙間
１２１、１２２  隙間
１３  封止部
１４、１４ａ  封止部
１５、１６  把手部
２  キャリア
２１、２２  上部壁
２３、２４  側部壁
２５、２６  底部壁
２７、２８  カップ保持穴
２７１、２８１  欠如部
２０１  弱め線
２０２  弱め線
２０３  弱め線
２０４  弱め線
２０５  弱め線
Ｐ２  折り畳み包装体
３  ガゼット袋
３１、３２  補強部
３３  ガゼット部
３３０  三角折れ部
３３１、３３２  隙間
３４、３５  封止部
３６、３７  取っ手
４  キャリア
４１、４２  上部壁
４３、４４  側部壁
４５、４５ａ  間隔設定壁
４６、４６ａ  間隔設定壁
４７、４８  カップ保持穴
４０１  弱め線
４０２  弱め線
４０３  弱め線
４０４  弱め線
４０５  弱め線
４０６  弱め線
４０７  弱め線
Ｐ３  折り畳み包装体
５  ガゼット袋
５１、５２  補強部
５３  ガゼット部
５３０  三角折れ部
５３１、５３２  隙間
５４、５５  封止部
５６、５７  取っ手穴
６  キャリア
６１、６２  底部壁
６３  側部壁
６４  蓋部壁
６４１  差込片
６５、６５ａ  間隔設定壁
６６  側部壁
６６１  フラップ
６６２  差込穴
６７、６７ａ  間隔設定壁
６００  弱め線
６０１  弱め線
６０２  弱め線
６０３  弱め線
６０４  弱め線
６０６  弱め線
６０７  弱め線
６０８  弱め線
６０９  弱め線
Ｐ４  折り畳み包装体
４ａ  キャリア
４９、４９ａ  保持穴
【図１】
2014189314.tif 000003
【図２】
2014189314.tif 000004
【図３】
2014189314.tif 000005
【図４】
2014189314.tif 000006
【図５】
2014189314.tif 000007
【図６】
2014189314.tif 000008
【図７】
2014189314.tif 000009
【図８】
2014189314.tif 000010
【図９】
2014189314.tif 000011
【図１０】
2014189314.tif 000012
【図１１】
2014189314.tif 000013
【図１２】
2014189314.tif 000014
【図１３】
2014189314.tif 000015
【図１４】
2014189314.tif 000016
【図１５】
2014189314.tif 000017
【図１６】
2014189314.tif 000018